(57)【要約】【課題】  より合理的に構成された封緘容器を得ること。【解決手段】  可塑剤が配合された合成樹脂製のシート素材１０からなる容器において、当該封緘容器は、開口部２０と、開口部を封鎖する封鎖手段と、封鎖した開口部が開封されたときにそれを示すための封印シール５０とを備え、封鎖手段は、開口部の近傍に設けられたフラップ３０を所定の方向に折り曲げて、フラップを当該封緘容器の要所に貼付けてなるものであり、当該封緘容器の所定の部位及びフラップには、可塑剤が含まれていない又は可塑剤の含有量が他の部位よりも比較的少ない硬質部位６１，６２をそれぞれ設け、封印シールは、硬質部位に貼付けるようにした。また、当該封緘容器には、固有の印を付すための印表示部７０を設け、印表示部は、吸湿性物質を重ね刷りしてなるものとした。【選択図】図３
2007308141.tif 000002
【特許請求の範囲】
【請求項１】
可塑剤が配合された合成樹脂製のシート素材からなる封緘容器において、
当該封緘容器は、開口部と、前記開口部を封鎖する封鎖手段と、封鎖した前記開口部が開封されたときにそれを示すための封印シールとを備え、
当該封緘容器には、前記可塑剤が含まれていない又は前記可塑剤の含有量が他の部位よりも比較的少ない硬質部位を設け、前記封印シールは、前記硬質部位に貼付けるようにしたことを特徴とする封緘容器。
【請求項２】
可塑剤が配合された合成樹脂製のシート素材からなる容器において、
当該封緘容器は、開口部と、前記開口部を封鎖する封鎖手段と、封鎖した前記開口部が開封されたときにそれを示すための封印シールとを備え、
前記封鎖手段は、前記開口部の近傍に設けられたフラップを所定の方向に折り曲げて、前記フラップを当該封緘容器の要所に貼付けてなるものであり、
当該封緘容器の所定の部位及び前記フラップには、前記可塑剤が含まれていない又は前記可塑剤の含有量が他の部位よりも比較的少ない硬質部位をそれぞれ設け、前記封印シールは、前記硬質部位に貼付けるようにしたことを特徴とする封緘容器。
【請求項３】
当該封緘容器には、固有の印を付すための印表示部を設け、
前記印表示部は、吸湿性物質を重ね刷りしてなることを特徴とする請求項１又は２記載の封緘容器。
【請求項４】
合成樹脂製のシート素材からなる封緘容器において、
当該封緘容器には、固有の印を付すための印表示部を設け、
前記印表示部は、吸湿性物質を重ね刷りしてなることを特徴とする封緘容器。
【発明の詳細な説明】
【技術分野】
【０００１】
本発明は、合成樹脂製のシート素材からなる封緘容器に関する。
【背景技術】
【０００２】
書類や物品を収納する容器の開口部は、収納物を改ざんしたり無許可に使用したりすることがないように、必要に応じて封緘される。例えば近年では、自宅の保全管理を警備会社に依頼し、その自宅において非常事態が発生すると、警備会社の職員が駆けつけるという管理システムもある。依頼者は、警備会社に予め自宅の鍵（スペアキー）を預けておく。ここで、警備会社が鍵を預かる際には、不正使用防止の観点から、これを容器に収納し、その容器の開口部を封鎖いておくとよい。警備会社は、必要のない場合は、預かった鍵を容器から取り出すことはない。特許文献１及び２には、鍵を預かる際に好適に利用することができる容器が開示されている。一般に、このような容器は、透明又は半透明の合成樹脂製のシート素材からなるものである。
【特許文献１】特開２００３−２２１０６０号公報
【特許文献２】特開２００３−２５２３４３号公報
【発明の開示】
【発明が解決しようとする課題】
【０００３】
前述したように開口部を封鎖する容器については、開封を示す証拠の信頼性が重要とされる。つまり、容器を不正に開封した者は、これを精巧に復元しようとする虞もあり、そのような行為をより困難にする構成が必要とされている。
【０００４】
さて、本願発明者は、合成樹脂製のシート素材からなる封緘容器を試作し、その使用実験を行った。封緘容器には、開口部が開封されたときにそれを示すための封印シールを設けた。封印シールは、開口部を開封すると復元不可能となるように貼付けられる。かかる使用実験によると、長期の使用によって封印シールの信頼性が著しく低下することが判明した。具体的には、封印シールが剥がれ易くなるという事態が発生した。封印シールをきれいに剥がして開封し、それを再び貼付けることによれば、開封の事実を隠すことが可能となる。故に、実用段階においては、このような不都合に対処する構成が必要であると考えらえる。
【０００５】
本発明は、かかる事情に鑑みてなされたものであり、その目的は、より合理的に構成された封緘容器を提供することである。
【課題を解決するための手段】
【０００６】
本願第１請求項に記載した発明は、可塑剤が配合された合成樹脂製のシート素材からなる封緘容器において、当該封緘容器は、開口部と、前記開口部を封鎖する封鎖手段と、封鎖した前記開口部が開封されたときにそれを示すための封印シールとを備え、当該封緘容器には、前記可塑剤が含まれていない又は前記可塑剤の含有量が他の部位よりも比較的少ない硬質部位を設け、前記封印シールは、前記硬質部位に貼付けるようにした構成の封緘容器である。
【０００７】
本願発明者の使用実験によれば、可塑剤が配合された合成樹脂製のシート素材に封印シールを貼付けた場合は、時間の経過に伴い、封印シールが剥がれ易くなるという事態が発生した。本願発明者は、その主な原因が、合成樹脂に含まれる可塑剤の浸出にあると考え、これを解決する手段を講じた。合成樹脂に対する可塑剤の配合は、シート素材の機械的性質が向上されるという点で有効である。しかし、経過時間に応じて封印シールが次第に剥がれ易くなるという実験事実を考慮すると、合成樹脂から浸出した可塑剤が、シート素材と封印シールとの接着面に集まり、それらの接着力を劣化させていると考えられる。そこで、封印シールを張付ける部位には、可塑剤が含まれていない又は可塑剤の含有量が他の部位よりも比較的少ない硬質部位を設け、封印シールは、硬質部位に貼付けるようにした。すると、封印シールが剥がれ易くなるという事態は明らかに改善した。すなわち、本発明の封緘容器は、機械的性質に優れたシート素材を用いるとともに、封印シールの信頼性を確実に向上してなるものである。
【０００８】
本願第２請求項に記載した発明は、可塑剤が配合された合成樹脂製のシート素材からなる容器において、当該封緘容器は、開口部と、前記開口部を封鎖する封鎖手段と、封鎖した前記開口部が開封されたときにそれを示すための封印シールとを備え、前記封鎖手段は、前記開口部の近傍に設けられたフラップを所定の方向に折り曲げて、前記フラップを当該封緘容器の要所に貼付けてなるものであり、当該封緘容器の所定の部位及び前記フラップには、前記可塑剤が含まれていない又は前記可塑剤の含有量が他の部位よりも比較的少ない硬質部位をそれぞれ設け、前記封印シールは、前記硬質部位に貼付けるようにした構成の封緘容器である。
【０００９】
本願第３請求項に記載した発明は、請求項１又は２において、当該封緘容器には、固有の印を付すための印表示部を設け、前記印表示部は、吸湿性物質を重ね刷りしてなる構成の封緘容器である。
【００１０】
本願第４請求項に記載した発明は、合成樹脂製のシート素材からなる封緘容器において、当該封緘容器には、固有の印を付すための印表示部を設け、前記印表示部は、吸湿性物質を重ね刷りしてなる構成の封緘容器である。
【００１１】
前記特許文献１は、本願の出願人が先に出願したものである。同特許文献には、吸湿性物質を印刷して印表示部を設ける構成が開示されている。印表示部に固有の印を付すことによれば、封緘容器を不正に開封した者が収納物をそのまま同型の封緘容器に入れ替えてしまうという行為を防止することができる。さて、本願発明者は、吸湿性物質を印刷してなる印表示部を実際に設け、そこに印鑑やサインを試してみたところ、朱肉やインクの浸透性の確保がやや困難であることが判明した。朱肉やインクが乾く前に手で触れると、その印は簡単に潰れてしまった。そこで本発明では、吸湿性物質を重ね刷りする構成を採用した。重ね刷りによれば、吸湿性物質の層が複数形成され、朱肉やインクは、毛管現象により層と層の間に速やかに浸透する。このような構成によると、朱肉やインクの浸透性を満足に確保することが可能となる。
【発明の効果】
【００１２】
本発明によれば、より合理的に構成された封緘容器を得ることができる。
【発明を実施するための最良の形態】
【００１３】
以下に、本発明の実施例を図面に基づいて詳細に説明する。図１乃至図４に示す封緘容器１は、可塑剤が配合された透明又は半透明の合成樹脂製のシート素材１０からなるのものである。合成樹脂としては軟質塩化ビニルを使用しており、可塑剤としてはフタル酸エステル系のものを使用している。可塑剤は、１０〜６０％程度配合されている。また、可塑剤の他にも、安定剤、着色剤、滑剤、及び難燃剤などの添加剤が適宜に配合さている。
【００１４】
封緘容器１の形状は、特に限定はしないが、図例では、複数のシート素材１０を溶着して貼り合せるとともに、一辺の一部が開口部２０とされた矩形のものとなっている。
【００１５】
開口部２０の近傍には、フラップ３０が設けられている。フラップ３０は、開口部２０を封鎖する封鎖手段を構成するものである。開口部２０は、フラップ３０を所定の方向に折り曲げて、これを当該封緘容器１の要所に貼付けることにより封鎖される。本例の場合、フラップ３０を貼付ける部位には、セパレータ４１で覆われた粘着層４０が設けられており、フラップ３０は、セパレータ４１を剥離したうえで粘着層４０に貼付けられる。尚、粘着層４０をフラップ３０側に設け、その粘着層４０を所定の部位に張付けるように構成することも可能である。
【００１６】
また、この封緘容器には、開口部２０を開封すると復元不可能となるように封印シール５０を設けている。封印シール５０は、封鎖した開口部２０が開封されたときにそれを示すためのものである。
【００１７】
本例の場合、当該封緘容器１の所定の部位及びフラップ３０には、可塑剤が含まれていない又は可塑剤の含有量が他の部位よりも比較的少ない硬質部位６１，６２をそれぞれ設けており、封印シール５０は、各硬質部位６１，６２に跨るように貼付けられる。硬質部位６１，６２は、シート状の硬質塩化ビニルをシート素材１０に重ね合わせるように溶着して設けられている。このような構成によると、封印シール５０が剥がれ易くなるという不都合を回避することができる。
【００１８】
封緘容器１の使用方法は、次の通りである。先ず、被収納物Ａを開口部２０から入れる（図１参照）。次に、粘着層４０からセパレータ４１を剥離し、フラップ３０を所定の方向に折り曲げて、粘着層４０にフラップ３０を貼付ける（図２参照）。そして、封印シール５０を各硬質部位６１，６２に跨るように貼付ける。封緘容器１は、この状態にて保管される（図３参照）。また、封緘容器１は、封印シール５０を剥がし、フラップ３０を粘着層４０から分離して開封する（図４参照）。
【００１９】
尚、本例の封印シール５０は、フィルムの片面に第１の感圧接着剤層を設け、その上にインクからなる有色層を設け、更にその上に第２の感圧接着剤層を設けてなるものである。硬質部位６１，６２には、第２の感圧接着剤層が貼付けられる。封印シール５０を剥がすと、有色層が第１の感圧接着剤層と第２の感圧接着剤層とに分離し、封印シール５０及びこれを貼付けた部位にそれぞれ所定の模様が顕在化する構成となっている。
【００２０】
以上説明したように、本例の封緘容器は、封印シールの信頼性を確実に向上してなるものであり、鍵を収納する容器として好適に利用することができる。尚、本例における各部の構成は、特許請求の範囲に記載した技術的範囲において適宜に設計変更が可能であり、図例説明したものに限定されないことは勿論である。
【００２１】
次に、本発明の第２実施例を図５に基づいて説明する。同図に示す封緘容器１には、固有の印を付すための印表示部７０を設けている。印表示部７０は、吸湿性物質を重ね刷りして形成されている。具体的には、硬質部位６１の要所及び封印シール５０の要所にそれぞれシルク印刷を２重に施して設けられている。封印シール５０は、シルク印刷した両部を合せるように張付けられる。つまり、この印表示部７０は、開封に伴い分離されるように設けられており、印が割印となるように構成されている。尚、その他の基本構成は、前述した実施例と同様である。
【００２２】
このように、印表示部７０に固有の印を付すことによれば、封緘容器の不正開封を防止することができる。また、吸湿性物質を重ね刷りすることによれば、朱肉やインクの浸透性を満足に確保することができ、印表示部の機能性を確実に向上することができる。
【産業上の利用可能性】
【００２３】
本発明の封緘容器は、開封されるとその証拠を確実に顕示することができるものであり、警備会社が依頼者から預かる鍵等を収納する容器として、極めて好適に利用することが可能である。
【図面の簡単な説明】
【００２４】
【図１】本発明の実施例に係り、封緘容器を示す説明図である。
【図２】本発明の実施例に係り、封緘容器を示す説明図である。
【図３】本発明の実施例に係り、封緘容器を示す説明図である。
【図４】本発明の実施例に係り、封緘容器を示す説明図である。
【図５】本発明の実施例に係り、封緘容器を示す説明図である。
【符号の説明】
【００２５】
１      封緘容器
１０      シート素材
２０      開口部
３０      フラップ
４０      粘着層
４１      セパレータ
５０      封印シール
６１      硬質部位
６２      硬質部位
７０      印表示部
Ａ      被収納物
【図１】
2007308141.tif 000003
【図２】
2007308141.tif 000004
【図３】
2007308141.tif 000005
【図４】
2007308141.tif 000006
【図５】
2007308141.tif 000007